(57)【特許請求の範囲】
【請求項１】
送信装置であって、
撮影した動画を受信装置に送信する送信手段と、
前記送信手段による撮影した動画の送信中にユーザの所定の操作を検出する検出手段と、を備え、
前記送信手段は、前記検出手段が前記所定の操作を検出したとき、前記所定の操作に関する情報を示す画像を前記受信装置に送信し、前記検出手段が前記所定の操作が終了したことを検出したとき、前記所定の操作の終了に関する情報を示す画像を前記受信装置に送信することを特徴とする送信装置。
【請求項２】
前記検出手段が前記所定の操作を検出したとき、前記送信手段は、前記受信装置への前記撮影した動画の送信を中断することを特徴とする請求項１に記載の送信装置。
【請求項３】
着脱が可能なレンズをさらに備え、
前記所定の操作は、前記レンズを取り外す操作であることを特徴とする請求項１又は２に記載の送信装置。
【請求項４】
前記所定の操作は、静止画の撮影の操作であることを特徴とする請求項１乃至３のいずれか１項に記載の送信装置。
【請求項５】
送信装置であって、
撮影した動画を受信装置に送信する送信手段と、
前記送信手段による撮影した動画の送信中にユーザの所定の操作を検出する検出手段と、を備え、
前記送信手段は、前記検出手段が前記所定の操作を検出したとき、前記受信装置への動画の送信を中断し、動画の送信が中断したことを示す画像を前記受信装置に送信し、前記検出手段が前記所定の操作が終了したことを検出したとき、前記受信装置への動画の送信を再開し、動画の送信が再開したことを示す画像を前記受信装置に送信することを特徴とする送信装置。
【請求項６】
受信装置と、撮影した動画を前記受信装置に送信する送信装置と、を備える送受信システムであって、
撮影した動画を受信装置に送信する送信手段と、
前記送信手段による撮影した動画の送信中にユーザの所定の操作を検出する検出手段と、を備え、
前記送信手段は、前記検出手段が前記所定の操作を検出したとき、前記所定の操作に関する情報を示す画像を前記受信装置に送信し、前記検出手段が前記所定の操作が終了したことを検出したとき、前記所定の操作の終了に関する情報を示す画像を前記受信装置に送信することを特徴とする送受信システム。
【請求項７】
前記受信装置の少なくとも１つは、前記送信装置からのデータを受信し、他の前記受信装置に転送する転送装置であることを特徴とする請求項６に記載の送受信システム。
【請求項８】
送信装置の制御方法であって、
撮影した動画を受信装置に送信する送信ステップと、
前記送信ステップでの撮影した動画の送信中にユーザの所定の操作を検出する検出ステップと、を備え、
前記送信ステップでは、前記検出ステップで前記所定の操作を検出したとき、前記所定の操作に関する情報を示す画像を前記受信装置に送信し、前記検出ステップで前記所定の操作が終了したことを検出したとき、前記所定の操作の終了に関する情報を示す画像を前記受信装置に送信することを特徴とする送信装置の制御方法。
【請求項９】
送信装置の制御方法であって、
撮影した動画を受信装置に送信する送信ステップと、
前記送信ステップでの撮影した動画の送信中にユーザの所定の操作を検出する検出ステップと、を備え、
前記送信ステップでは、前記検出ステップで前記所定の操作を検出したとき、前記受信装置への動画の送信を中断し、動画の送信が中断したことを示す画像を前記受信装置に送信し、前記検出ステップで前記所定の操作が終了したことを検出したとき、前記受信装置への動画の送信を再開し、動画の送信が再開したことを示す画像を前記受信装置に送信することを特徴とする送信装置の制御方法。
【請求項１０】
送信装置を制御するためのプログラムであって、
撮影した動画を受信装置に送信する送信ステップと、
前記送信ステップでの撮影した動画の送信中にユーザの所定の操作を検出する検出ステップと、を備え、
前記送信ステップでは、前記検出ステップで前記所定の操作を検出したとき、前記所定の操作に関する情報を示す画像を前記受信装置に送信し、前記検出ステップで前記所定の操作が終了したことを検出したとき、前記所定の操作の終了に関する情報を示す画像を前記受信装置に送信する処理をコンピュータに実行させるためのプログラム。
【請求項１１】
送信装置を制御するためのプログラムであって、
撮影した動画を受信装置に送信する送信ステップと、
前記送信ステップでの撮影した動画の送信中にユーザの所定の操作を検出する検出ステップと、を備え、
前記送信ステップでは、前記検出ステップで前記所定の操作を検出したとき、前記受信装置への動画の送信を中断し、動画の送信が中断したことを示す画像を前記受信装置に送信し、前記検出ステップで前記所定の操作が終了したことを検出したとき、前記受信装置への動画の送信を再開し、動画の送信が再開したことを示す画像を前記受信装置に送信する処理をコンピュータに実行させるためのプログラム。
【発明の詳細な説明】
【技術分野】
【０００１】
本発明は、撮影した動画を受信装置に送信する送信装置、動画の送受信システム、送信装置の制御方法及びプログラムに関する。
【背景技術】
【０００２】
近年、通信システムの発展により、デジタルカメラ等の撮像装置で撮影中の動画を、公衆回線やネットワークを介してリアルタイムに送信（転送）する動画ライブ送信（動画ライブ転送）が一般的に行われるようになってきた。動画ライブ送信では、動画の送信中に問題が起きないようカメラの運用状態を常に監視する必要がある。例えば、特許文献１ではカメラに故障が発生すると、ユーザに視覚的に通知するカメラシステムが開示されている。
【先行技術文献】
【特許文献】
【０００３】
【特許文献１】特開２００４−１６６０７５号公報
【発明の概要】
【発明が解決しようとする課題】
【０００４】
しかしながら上記の従来技術では、レンズ交換式カメラによる動画ライブ送信中にカメラのレンズ交換を行う場合、レンズ交換を行うことを視聴者に通知できなかった。また、レンズ交換を行うことを通知するために、レンズ交換の前に、ユーザにカメラを操作させることは煩雑である。
【０００５】
本発明は、撮影した動画の送信中にユーザがレンズ交換等の操作を行うとき、この操作に関する情報を示す画像を、ユーザが別途の操作をすることなく、受信装置に送信することを目的とする。
【課題を解決するための手段】
【０００６】
本発明は、送信装置であって、撮影した動画を受信装置に送信する送信手段と、前記送信手段による撮影した動画の送信中にユーザの所定の操作を検出する検出手段と、を備え、前記送信手段は、前記検出手段が前記所定の操作を検出したとき、前記所定の操作に関する情報を示す画像を前記受信装置に送信し、前記検出手段が前記所定の操作が終了したことを検出したとき、前記所定の操作の終了に関する情報を示す画像を前記受信装置に送信することを特徴とする。
【発明の効果】
【０００７】
本発明によれば、撮影した動画の送信中にユーザがレンズ交換等の操作を行うとき、この操作に関する情報を示す画像を、ユーザが別途の操作をすることなく、受信装置に送信できる。
【図面の簡単な説明】
【０００８】
【図１】第１実施形態における送受信システムの構成図である。
【図２】第１実施形態におけるカメラの構成を示すブロック図である。
【図３】第１実施形態におけるカメラの動作を示すシーケンス図である。
【図４】第１実施形態における再生端末の画面の図である。
【図５】第１実施形態におけるカメラの動作を示すフローチャートである。
【図６】他の実施形態における送受信システムの構成図である。
【図７】第２実施形態におけるカメラの動作を示すシーケンス図である。
【図８】第２実施形態における再生端末の画面の図である。
【図９】第２実施形態におけるカメラの動作を示すフローチャートである。
【発明を実施するための形態】
【０００９】
以下、添付図面を参照して、本発明の好適な実施形態について説明する。
＜第１実施形態＞
（システム構成）
はじめに、図１を参照して、本実施形態における動画の送受信システムの構成例を説明する。図１は、送受信システムの構成図である。本実施形態における動画の送受信システムは、カメラ１００と再生端末２００とを備える。カメラ１００は、送信装置及び撮像装置の一例であり、撮像している映像及び音声からなる動画データを再生端末２００へ送信する。再生端末２００は、受信装置の一例であり、カメラ１００から受信したデータを再生することで、再生端末２００のユーザは動画データを視聴できる。
【００１０】
（ハード構成）
次に、図２を参照して、カメラ１００の構成を説明する。図２は、カメラ１００の構成を示すブロック図である。カメラ１００は、レンズ交換式デジタルカメラとして構成される。カメラ１００は、カメラ本体１１２とレンズ１１１とを備える。カメラ本体１１２は、中央処理装置（ＣＰＵ）１０１と、表示装置１０２と、操作部１０３と、画像処理装置１０４と、不揮発性メモリ１０５と、主記憶装置１０６と、記憶媒体１０７と、通信インターフェース１０８と、無線通信用アンテナ１０９とを備える。
【００１１】
中央処理装置１０１は、後述する各種処理を実行するマイクロプロセッサ等から構成されており、図５のフローチャートに示す処理等を実行する。
表示装置１０２は、撮影した画像や撮影している動画、ユーザ設定画面、ライブビュー画像の表示等を行う。
操作部１０３は、実際の静止画や動画の撮影の操作を行う場合やユーザ設定画面から所望の設定を入力する場合に用いる。操作部１０３には、静止画撮影ボタン、動画撮影ボタン等がある。
画像処理装置１０４は、撮影した画像や動画の圧縮等の画像処理を行う。
不揮発性メモリ１０５は、フラッシュメモリ等で構成されており、ユーザの設定情報等の撮像装置の電源がＯＦＦの間も保持すべき情報、画像データを送信する度に生成される送信済み情報、等を記憶するものである。また、不揮発性メモリ１０５は、撮像等の機器制御を行うオペレーティングシステム（ＯＳ）、画像データを送信する処理を行うプログラム（図５に示す処理のプログラムコード）も格納している。
【００１２】
主記憶装置１０６は、ＲＡＭ等で構成されており、画像処理装置１０４のデータを一時的に保存するために使われる。
記憶媒体１０７は、取り外し可能な記録媒体等から構成されており、撮影した画像データを保存する。
通信インターフェース１０８は、無線通信用アンテナ１０９を介して外部機器と接続する際のインターフェースを司る。また、通信インターフェース１０８は、ローカルエリアネットワークやＵＳＢ等と接続する際のインターフェースも司る。
レンズ１１１は、カメラ本体１１２から着脱が可能であり、レンズ制御装置１１０を備える。レンズ制御装置１１０は、レンズ内に配置されたレンズ制御装置として、中央処理装置１０１と、マウント接点を介して互いに信号の伝達を行う。
【００１３】
次に、再生端末２００の構成を説明する。本実施形態では再生端末２００は、パーソナルコンピュータである。ただし、再生端末２００は、スマートフォンやタブレット端末等の通信機器でもよい。再生端末２００は、中央処理装置と、表示装置と、操作部と、主記憶装置と、記憶媒体と、通信インターフェースとを備える。中央処理装置は、記憶媒体に格納されるプログラムを実行して再生端末２００を制御する。表示装置は、カメラ１００から受信した動画の表示等を行う。操作部は、キーボード等を含みユーザの操作を受け付ける。主記憶装置は、ＲＡＭ等で構成されており、一時的なデータの格納場所等に使われる。記憶媒体は、再生端末２００の制御を行うオペレーティングシステム、カメラ１００からデータを受信したり動画データを表示装置で再生したりするためのプログラム等を格納する。通信インターフェースは、外部機器と接続する際のインターフェースを司る。
【００１４】
（動画ライブ送信）
次に、図３を参照して、カメラ１００による動画ライブ送信の処理について説明する。図３は、動画ライブ送信時のカメラ１００の動作を示すシーケンス図である。
ステップＳ３０１において、ユーザがカメラ１００の操作部１０３の中の動画撮影ボタンを押下すると、カメラ１００は処理をステップＳ３０２に進める。
ステップＳ３０２において、カメラ１００は動画撮影を行う。
ステップＳ３０３において、カメラ１００はステップＳ３０２において撮影した動画データを、通信インターフェース１０８を介して再生端末２００へ送信する。再生端末２００は、カメラ１００から動画データを受信して、再生端末２００の表示装置に表示する。
カメラ１００は、ステップＳ３０４においてユーザによりカメラ１００のレンズ１１１が取り外されるまで、ステップＳ３０２とステップＳ３０３とを繰り返す。
【００１５】
ステップＳ３０４において、ユーザによりカメラ１００のレンズ１１１が取り外されると、カメラ１００は動画の撮影及び動画データの送信を中断する。そして、カメラ１００はステップＳ３０５において、不揮発性メモリ１０５に保存されているアラート画像を、通信インターフェース１０８を介して再生端末２００へ送信する。
再生端末２００は、カメラ１００からアラート画像を受信して、再生端末２００の表示装置にアラート画像を表示する。アラート画像が表示された再生端末２００の画面４００を図４に示す。
本実施形態のアラート画像は、レンズ１１１の取り外しというユーザの操作に関する情報、例えば、ユーザの操作の意図が分かるような情報が含まれる画像であり、図４に示すように「レンズ交換中」という文字情報が含まれる。アラート画像は、図４のように文字情報だけが入った画像でもよく、レンズ１１１が取り外される前に撮影し送信した動画データを背景にして文字情報を付加した画像でもよい。また、アラート画像は、レンズ１１１の交換というユーザの動作の意図を表すアイコン画像でもよい。
カメラ１００は、ステップＳ３０６においてユーザによりカメラ１００のレンズ１１１の取り付けが行われるまで、ステップＳ３０５を繰り返す。
【００１６】
ステップＳ３０６において、ユーザによりカメラ１００のレンズ１１１の取り付けが行われると、カメラ１００は処理をステップＳ３０７に進める。
ステップＳ３０７において、カメラ１００は動画撮影を再開する。
ステップＳ３０８において、カメラ１００はステップＳ３０７において撮影した動画を、通信インターフェース１０８を介して再生端末２００へ送信する。再生端末２００は、カメラ１００から動画データを受信して、再生端末２００の表示装置に表示する。
カメラ１００は、ステップＳ３０９においてユーザによりカメラ１００の操作部１０３の中の動画撮影ボタンが押下されるまで、ステップＳ３０７とステップＳ３０８とを繰り返す。
ステップＳ３０９において、ユーザによりカメラ１００の操作部１０３の中の動画撮影ボタンが押下されると、カメラ１００は動画ライブ送信を終了する。
【００１７】
次に、図５を参照して、カメラ１００が再生端末２００へ動画の送信を行う動作を説明する。図５は、カメラ１００が再生端末２００へ動画の送信を行う動作を示すフローチャートである。本実施形態では、カメラ１００の中央処理装置１０１がカメラ１００の各部を制御することにより、以下の動作が実現される。なお、ユーザによりカメラ１００の動画撮影ボタンが押下されることにより、カメラ１００は図５に示す処理を開始する。すなわち、ユーザにより動画撮影の開始の操作がされた場合に、カメラ１００は図５に示す処理を開始する。
【００１８】
ステップＳ５０１において、カメラ１００は動画の撮影を開始する。
ステップＳ５０２において、カメラ１００はステップＳ５０１において撮影した動画データを、通信インターフェース１０８を介して再生端末２００に送信する。
ステップＳ５０３において、カメラ１００は動画撮影ボタンが押下されたか否かを判定する。すなわち、ユーザにより動画撮影を停止する操作が行われたか否かを判定する。カメラ１００は、動画撮影ボタンが押下された場合、図５に示す処理を終了する。カメラ１００は、動画撮影ボタンが押下されていない場合、処理をステップＳ５０４に進める。
ステップＳ５０４において、カメラ１００の中央処理装置１０１はレンズ１１１がカメラ本体１１２に装着されているか否かを判定する。レンズ１１１がカメラ本体１１２に装着されているか否かは、例えば、中央処理装置１０１がレンズ１１１のレンズ制御装置１１０と互いに信号の伝達が可能か否かで判定する。カメラ１００は、レンズが装着されている場合、処理をステップＳ５０１に戻す。カメラ１００は、レンズが装着されていない場合、すなわちレンズが取り外された場合には、処理をステップＳ５０５に進める。なお、ステップＳ５０４の処理は検出手段による処理の一例である。
ステップＳ５０５において、カメラ１００は、レンズが取り外されたことを通知するために、アラート画像を、通信インターフェース１０８を介して再生端末２００に送信する。なお、ステップＳ５０２及びＳ５０５の処理は、送信手段による処理の一例である。
【００１９】
以上説明したように本実施形態によれば、カメラ１００は、動画ライブ送信中にレンズ１１１が装着されているか否かを判定して、レンズ１１１が取り外されている場合、動画ライブ送信を中断してアラート画像を送信する。したがって、カメラ１００は、撮影した動画の送信中にユーザがレンズ交換の操作を行うとき、この操作に関する情報を、ユーザが別途の操作をすることなく、再生端末２００に送信できる。また、レンズ１１１の交換中は、ユーザがレンズ交換以外の操作をすることなく、動画ライブ送信を中断できる。
【００２０】
＜第２実施形態＞
第１実施形態では、レンズ交換式カメラにおいて動画ライブ送信を行っている時に、レンズ交換を行う場合のカメラ１００の動作について説明した。本実施形態では、動画ライブ送信を行っている時に、静止画撮影を行う場合のカメラ１００の動作について説明する。なお、本実施形態については、第１実施形態と同様の部分については説明を省略又は簡略化し、本実施形態に特有の部分について主に説明する。
【００２１】
まず、図７を参照して、カメラ１００から再生端末２００への動画ライブ送信の動作を説明する。図７は、動画ライブ送信時のカメラ１００の動作を示すシーケンス図である。
図７のステップＳ７０１〜ステップＳ７０３、ステップＳ７０７〜ステップＳ７０９の処理は、それぞれ、図３のステップＳ３０１〜ステップＳ３０３、ステップＳ３０７〜ステップＳ３０９と同様の処理であるため、ここでは説明を省略する。
【００２２】
ステップＳ７０４において、ユーザによりカメラ１００の静止画撮影ボタンが押下されると、カメラ１００は動画の撮影及び動画データの送信を中断する。カメラ１００はステップＳ７０５において、不揮発性メモリ１０５に保存されているアラート画像を、通信インターフェース１０８を介して再生端末２００へ送信する。
再生端末２００は、カメラ１００からアラート画像を受信して、再生端末２００の表示装置にアラート画像を表示する。アラート画像が表示された再生端末２００の画面８００を図８に示す。
本実施形態のアラート画像は、静止画撮影というユーザの操作に関する情報、例えば、ユーザの操作の意図が分かるような情報が含まれる画像であり、図８に示すように「静止画撮影中」という文字情報が含まれる。アラート画像は、図８のように文字情報だけが入った画像でもよく、静止画撮影前に撮影し送信した動画データを背景にして文字情報を付加した画像でもよい。また、アラート画像は、静止画撮影というユーザの動作の意図を表すアイコン画像でもよい。
ステップＳ７０６において、カメラ１００の中央処理装置１０１は静止画撮影が完了したか否かを判定する。カメラ１００は、静止画撮影が完了していない場合、処理をステップＳ７０５に戻す。カメラ１００は、静止画撮影が完了した場合、処理をステップＳ７０７に進めて、動画撮影及び動画データの送信を再開する。
【００２３】
次に、図９を参照して、カメラ１００が再生端末２００へ動画の送信を行う動作を説明する。図９は、カメラ１００が再生端末２００へ動画の送信を行う動作を示すフローチャートである。本実施形態では、カメラ１００の中央処理装置１０１がカメラ１００の各部を制御することにより、以下の動作が実現される。なお、ユーザによりカメラ１００の動画撮影ボタンが押下されることにより、カメラ１００は図９に示す処理を開始する。すなわち、ユーザにより動画撮影の開始の操作がされた場合に、カメラ１００は図９に示す処理を開始する。
【００２４】
図９のステップＳ９０１〜ステップＳ９０３の処理は、それぞれ、図５のステップＳ５０１〜ステップＳ５０３と同様の処理であるため、ここでは説明を省略する。
ステップＳ９０４において、カメラ１００は静止画撮影ボタンが押下されたか否かを判定する。カメラ１００は、静止画撮影ボタンが押下されていない場合、処理をステップＳ９０１に戻す。カメラ１００は、静止画撮影ボタンが押下された場合、処理をステップＳ９０５に進める。
ステップＳ９０５において、カメラ１００は静止画撮影が完了したか否かを判定する。静止画撮影が完了していない場合、処理をステップＳ９０６に進める。静止画撮影が完了した場合、処理をステップＳ９０１に戻す。なお、ステップＳ９０４及びステップＳ９０５の処理は検出手段による処理の一例である。
ステップＳ９０６において、カメラ１００は、静止画撮影中であることを通知するために、アラート画像を、通信インターフェース１０８を介して再生端末２００に送信する。なお、ステップＳ９０２及びＳ９０６の処理は、送信手段による処理の一例である。
【００２５】
以上説明したように本実施形態によれば、カメラ１００は、動画ライブ送信中に静止画撮影が行われているか否かを判定して、静止画撮影が行われている場合、動画ライブ送信を中断してアラート画像を送信する。したがって、カメラ１００は、撮影した動画の送信中にユーザが静止画撮影の操作を行うとき、この操作に関する情報を、ユーザが別途の操作をすることなく、再生端末２００に送信できる。また、静止画の撮影中は、ユーザが静止画撮影以外の操作をすることなく、動画ライブ送信を中断できる。
【００２６】
＜その他の実施形態＞
上記の実施形態では、カメラ１００は、レンズ１１１が取り外された場合はレンズが取り付けられるまで、静止画撮影が行われている場合は静止画撮影が終了するまで、再生端末２００にアラート画像を繰り返し送信する。しかし、カメラ１００は、再生端末２００に一度アラート画像を送信し、その後は、レンズ１１１が取り付けられるまで、又は、静止画撮影が終了するまで、再生端末２００に動画データやアラート画像を送信しなくてもよい。このとき、再生端末２００は、再生端末２００の表示装置に、カメラ１００から最後に受信したアラート画面を表示し続けてもよく、何も表示しなくてもよい。
【００２７】
上記の実施形態の動画の送受信システムは、図１に示す通り、カメラ１００と再生端末２００とを備える。しかし、動画の送受信システムは、図６に示す通り、カメラ１００と動画配信サーバ６０２と複数台の再生端末２００、２０１とを備えてもよい。カメラ１００と動画配信サーバ６０２とはネットワーク６００を介して接続し、動画配信サーバ６０２と再生端末２００、２０１とはネットワーク６０１を介して接続する。カメラ１００はネットワーク６００を介して動画配信サーバ６０２へ動画データやアラート画像を送信する。そして、動画配信サーバ６０２はカメラ１００から受信した動画データやアラート画像を、ネットワーク６０１を介して再生端末２００、及び再生端末２０１に転送する。なお、図６では再生端末２００、２０１が２台記載されているが、再生端末は１台でもよく３台以上でもよい。また、動画配信サーバ６０２は転送装置の一例である。
【００２８】
上記の実施形態では、レンズ１１１が取り外されたときや静止画撮影が行われるときにアラート画像を送信する。しかし、カメラ１００は、レンズ１１１が取り付けられたときや静止画撮影が終了したとき等、ユーザの操作が終了した場合にアラート画像を送信してもよい。この操作終了時のアラート画像は、ユーザの操作の終了に関する情報が含まれる。例えば、操作終了時のアラート画像は「レンズ再装着」や「静止画撮影完了」という文字情報やアイコン画像等が含まれる。また、操作終了時のアラート画像は、「配信再開」という文字情報のように、動画の送信を再開することを示す情報を含んでもよい。なお、操作終了時のアラート画像は、ユーザの操作が終了したときに送信を再開する動画データに、文字情報やアイコン画像等を付加した画像であってもよい。カメラ１００は操作終了時のアラート画像を例えば一定時間、再生端末２００に送信する。
【００２９】
上記の実施形態では、ユーザによりカメラ１００からレンズ１１１が取り外された場合や静止画撮影を行っている場合に、カメラ１００はアラート画像を送信する。しかし、これら以外の場合でもあっても、カメラ１００の動画撮影に影響を与える所定の操作をユーザが行うときに、カメラ１００がアラート画像を送信するようにしてもよい。例えば、ユーザが、カメラ１００の操作部１０３を操作して、再生端末２００への送信が不要と判断する動画を一時的に撮影するときに、アラート画像を送信するようにしてもよい。
【００３０】
上記の実施形態では、アラート画像はユーザの操作に関する情報が含まれる画像であったが、アラート画像は動画の送信が中断したことを示す情報であってもよい。例えば「配信中断」という文字情報等が含まれる画像であってもよい。
【００３１】
本発明は、上記の実施形態の１以上の機能を実現するプログラムを、ネットワーク又は記憶媒体を介してシステム又は装置に供給し、そのシステム又は装置のコンピュータにおける１つ以上のプロセッサーがプログラムを読出し実行する処理でも実現可能である。また、１以上の機能を実現する回路（例えば、ＡＳＩＣ）によっても実現可能である。
以上、本発明を実施形態と共に説明したが、上記実施形態は本発明を実施するにあたっての具体化の例を示したものに過ぎず、これらによって本発明の技術的範囲が限定的に解釈されてはならないものである。すなわち、本発明はその技術思想、又はその主要な特徴から逸脱することなく、様々な形で実施することができる。
【符号の説明】
【００３２】
１００  カメラ
１１１  レンズ
２００  再生端末
【図１】
0006648917.tif 000002
【図２】
0006648917.tif 000003
【図３】
0006648917.tif 000004
【図４】
0006648917.tif 000005
【図５】
0006648917.tif 000006
【図６】
0006648917.tif 000007
【図７】
0006648917.tif 000008
【図８】
0006648917.tif 000009
【図９】
0006648917.tif 000010